(57)【特許請求の範囲】
【請求項１】
一対向縁部に一対の取付具を有し、この一対の取付具を結ぶ方向に交差する他対向縁部の一方に保持具を有し、前記他対向縁部の他方に支持具を有し、この支持具は自動復帰式の索条繰り出し手段と、索条の先端に設けた可動部とを有する器具本体と、この器具本体の前面に位置するものであって、前記取付具に着脱自在に係止する被取付具を有し、前記保持具に回動自在に引掛かり可能な引掛具を有し、前記可動部を係止可能な受け具を有する配光制御部材とを備え、
前記可動部は係止用の頭部を先端に有する棒状であり、
前記受け具は水平断面ハット形をなし、その両側片が前記配光制御部材の内周面に取付けられることにより、前記ハット形の中央部と前記内周面との間に、その上端から下端へ前記可動部の前記頭部を挿入しやすくする第１のガイド傾斜部を有する筒状の挿通部を形成し、前記頭部が前記挿通部を挿通した状態で前記頭部を係止位置へ案内する第２のガイド傾斜部を有する係止部を前記下端に形成し、
前記被取付具が前記取付具から外れた状態で、前記配光制御部材が前記保持具のまわりを自重により回動して前記索条を繰り出させるようにした照明器具。
【請求項２】
前記器具本体は平面四角形であり、前記一対の取付具はその一対向側片に設けられ、前記保持具および前記支持具は他対向側片に設けられている請求項１記載の照明器具。
【請求項３】
前記器具本体は平面四角形であり、前記一対の取付具はその一対向側片に設けられ、前記保持具および前記支持具は前記器具本体の一対角部に設けられている請求項１記載の照明器具。
【請求項４】
前記受け具が前記器具本体の保持具に対向するように前記配光制御部材が逆向きに取付けられた場合に前記保持具に引掛可能な引っ掛かり片を前記受け具に有する請求項１記載の照明器具。
【発明の詳細な説明】
【０００１】
【発明の属する技術分野】
この発明は、照明器具に関するものである。
【０００２】
【従来の技術】
第１の従来例を図１５および図１６に示す。すなわち、この照明器具は、一対向縁部に一対の取付具７０を有する器具本体７１と、この器具本体７１の前面に位置するものであって、取付具７０に着脱自在に係止する被取付具７２を有するセード７３とを備えている。被取付具７２は係止片７４と解除ボタン７５からなる。
【０００３】
７６は係止金具、７７はその受け金具、７８は天井取付部、７９はランプ支持ばね、８０は本体カバー、８１はガイド具、８２はランプである。
第１の従来例は図１６に示すように器具本体７１に設けた係止金具７６にセード７３側に設けた受け金具７７が引っ掛かることによって、セード７３を開いた状態のセード７３の一方を仮保持し、セード７３を閉じた状態ではセード７３の他方を押し上げてセード取付具７０に係止片７４が係止している。
【０００４】
第２の従来例を図１８に示す。すなわち、この照明器具は、第１の従来例の係止金具７６および受け金具７７に代えて、器具本体７１の下面に保持具８３を設け、セード７３の内面に保持具８３に引っ掛かる引掛具８４を設けている。
【０００５】
【発明が解決しようとする課題】
第１の従来例は、係止金具７６が見えるので外観上好ましくなく、また器具本体７１の裏面の係止金具７６に引っ掛けるためセード７３の着脱に関する操作性が劣るという問題があった。
またセード７３の外形が器具本体７１よりも大きく張り出しているような照明器具の場合、図１７のようにセード７３を外そうとすると受け金具７７が係止金具７６に引っ掛かった状態でセード７３が天井８５に当たってしまう。
【０００６】
第２の従来例は、保持具８３および引掛具８４が内部にあるため外観をよくすることが可能であるが、セード７３の安全性を高めるために保持具８３を設けた場合、器具本体７１の１個所にセード７３の重量が加わるため、本体強度の補強が必要であり、またランプ交換時のセード７３の揺れ等を抑えることが難しく、セード７３の仮吊り機構としてはランプ交換時の作業を行なうことが難しかった。この点は第１の従来例も同様であった。
【０００７】
したがって、この発明の目的は、ランプ交換等の作業を向上することができる照明器具を提供することである。
【０００８】
【課題を解決するための手段】
請求項１記載の照明器具は、一対向縁部に一対の取付具を有し、この一対の取付具を結ぶ方向に交差する他対向縁部の一方に保持具を有し、前記他対向縁部の他方に支持具を有し、この支持具は自動復帰式の索条繰り出し手段と、索条の先端に設けた可動部とを有する器具本体と、この器具本体の前面に位置するものであって、前記取付具に着脱自在に係止する被取付具を有し、前記保持具に回動自在に引掛かり可能な引掛具を有し、前記可動部を係止可能な受け具を有する配光制御部材とを備え、
前記可動部は係止用の頭部を先端に有する棒状であり、
前記受け具は水平断面ハット形をなし、その両側片が前記配光制御部材の内周面に取付けられることにより、前記ハット形の中央部と前記内周面との間に、その上端から下端へ前記可動部の前記頭部を挿入しやすくする第１のガイド傾斜部を有する筒状の挿通部を形成し、前記頭部が前記挿通部を挿通した状態で前記頭部を係止位置へ案内する第２のガイド傾斜部を有する係止部を前記下端に形成し、
前記被取付具が前記取付具から外れた状態で、前記配光制御部材が前記保持具のまわりを自重により回動して前記索条を繰り出させるようにしたものである。
【０００９】
請求項１記載の照明器具によれば、配光制御部材を開いた状態を保持具と索条で保持するため器具本体の１個所に重量が加わることがなく補強の必要が少なくなり、また配光制御部材が揺れることがないので安定性があり、配光制御部材を完全に外さなくてもランプ交換等ができてしかも作業性がよい。また配光制御部材が器具本体の取付具にたとえ不完全に取付けられても、配光制御部材が保持具で引っ掛かるので配光制御部材が落下することがなく安全である。
【００１０】
また保持具および引掛具を器具本体および配光制御部材の内側に設けることは可能なため、必要に応じて外観を良好にすることが可能であり、配光制御部材を器具本体からやや下がった位置で保持させることも可能であるので、セードを外した状態で外面が天井に当たることを防止でき、また天井との距離を確保しやすいので必要に応じて外に張出したようなセード形状等を採用することが可能である。
さらに第１のガイド傾斜部により可動部が受け具にスムースに嵌合できるとともに、第２のガイド傾斜部により配光制御部材の仮保持状態で頭部が係止部から外れにくく、配光制御部材の落下を防ぐことができる。
【００１１】
請求項２記載の照明器具は、請求項１において、前記器具本体が平面四角形であり、前記一対の取付具はその一対向側片に設けられ、前記保持具および前記支持具は他対向側片に設けられているものである。
請求項２記載の照明器具によれば、請求項１と同様な効果がある。
請求項３記載の照明器具は、請求項１において、前記器具本体が平面四角形であり、前記一対の取付具はその一対向側片に設けられ、前記保持具および前記支持具は前記器具本体の一対角部に設けられているものである。
【００１２】
請求項３記載の照明器具によれば、請求項１と同様な効果のほか、支持具と保持具を器具本体の対角部に配置することにより、配光制御部材の仮吊り状態における開口面積を最も広くでき、ランプ交換性を向上させることができる。
請求項４記載の照明器具は、請求項１において、前記受け具が前記器具本体の保持具に対向するように前記配光制御部材が逆向きに取付けられた場合に前記保持具に引掛可能な引っ掛かり片を前記受け具に有するものである。
【００１３】
請求項４記載の照明器具によれば、請求項１と同様な効果のほか、たとえば配光制御部材の形状が正方形であるような場合には誤って取付方向を逆にすることがあるが、その場合でも落下防止できるので安全である。
【００１５】
【発明の実施の形態】
この発明の第１の実施の形態を図１から図７により説明する。すなわち、この照明器具は、器具本体１と、配光制御部材２とを有する。器具本体１は、一対向縁部に一対の取付具３を有し、この一対の取付具３を結ぶ方向に交差する他対向縁部の一方に保持具４を有し、他対向縁部の他方に支持具５を有し、この支持具５は自動復帰式索条繰り出し手段と、索条の先端に設けた可動部６とを有する。器具本体１は平面四角形であり、一対の取付具３はその一対向側片に設けられ、保持具４および支持具５は他対向側片に設けられている。
【００１６】
実施の形態の器具本体１は、外周に周壁７を垂下している。器具本体１の中央に略長方形状の遊嵌穴８を形成し、コーナ部に例えば金属製のガイド具１５を設けている。器具本体１の遊嵌穴８の近傍に絶縁板１２を介して点灯装置１１を取付け、点灯装置１１を本体カバー１３で覆い、本体カバー１３に設けた穴１４を遊嵌穴８に整合している。器具本体１の上面に例えばパッキンを用いた一対の弾性体１６を設けている。一方天井に設けた配線器具である引掛シーリングボディ９にアダプタ１０の引掛爪を引掛け、アダプタ１０の下面より電源線２０を引出し先端にコネクタ２１を設けている。器具本体１の遊嵌穴８をアダプタ１０および引掛シーリングボディ９に通して弾性体１６を天井に密着させ、アダプタ１０の周溝１０ａにホルダ１７の係止爪１８を引掛けて器具本体１をアダプタ１０に取付ける。ホルダ１７に設けた一対の操作部１９を互いに離れる方向に引くとこれに連動して係止爪１８がばね（図示せず）に抗して後退しアダプタ１０の周溝１０ａから離れて器具本体１を外すことができる。
【００１７】
本体カバー１３の内部には端子台（図示せず）を設け、端子台に接続した電源線の受けコネクタ（図示せず）をコネクタ２１に接続して給電している。また本体カバー１３の下面にはランプ支持ばね２３およびランプソケット２４が設けられ、これらにランプ例えば環形蛍光ランプ２５が装着される。
取付具３は、器具本体１の下面に垂下姿勢をなして配置され、器具本体１の中心方向に回動可能に設けられた例えば金属製の板であり、係止孔を有するものである。垂下姿勢はばね（図示せず）により保持されている。したがって、取付具３は外力により器具本体１の中心方向にばねに抗して傾動することができる。
【００１８】
保持具４は、例えば金属製の線材をＵ字形に折曲したものであり、両端が器具本体１に取付けられている。
支持具５は、自動復帰式の索条繰り出し手段が、支持具５のケース内に収納されたドラムと、このドラムに巻かれた索条、例えばワイヤ３３とからなっており、ドラムはばねにより索条の巻取り方向に付勢されている。可動部６は棒状であり、先端に径大の頭部６ａを有し、後端がワイヤ３３の先端に接続されている。頭部６ａの上面は例えば円錐形等の錐形になっている。
【００１９】
配光制御部材２は、器具本体１の前面に位置するものであって、取付具３に着脱自在に係止する被取付具３０を有し、保持具４に回動自在に引掛かり可能な引掛具３１を有し、可動部６を係止可能な受け具３２を有する。そして被取付具３０が取付具３から外れた状態で、配光制御部材２が保持具４のまわりを回動して自重によりワイヤ３３を繰り出させるようにしている。
【００２０】
この配光制御部材２はセードを実施の形態とし、セードの開口縁部を周壁７の内側に嵌合する形状にしている。被取付具３０は取付具３の係止孔３ａに係止する係止片３６（図６参照）と取付具３を内方に押して回動させて係止片３６から外す解除ボタン３７からなり、係止片３６はセードを器具本体１に接近することにより取付具３の下端に摺動して取付具３を内方に傾けるように案内する傾斜部３６ａを設けている。
【００２１】
引掛具３１は例えば金属製でかぎ形をなし、保持具４に引っ掛かるようにセードの内方に突出している。したがって、保持具４は配光制御部材２を回動自在かつ着脱自在に引掛けて仮吊り状態にすることができる。
受け具３２は、図３から図５に示すように、可動部６の頭部６ａを挿入する挿通部４０と、頭部６ａが挿通部４０を挿通した状態で頭部６ａの首側を係止する係止部４１とで構成しており、実施の形態では例えば金属製であり、セードの開口縁部の内周面に両端片３２ａが取付けられて上下方向に開口するＵ字形をなし、支持具５側の開口が大きくなるように傾斜し、かつセードの内周面２ａに近い側に挿通部４０が形成され内周面２ａから離れた先端側に係止部４１が形成されるように、セードの内周面２ａ側を可動部６の頭部６ａが貫通できる幅に形成し、先端側は頭部６ａを抜止めする寸法に狭めている。
【００２２】
この実施の形態は、セードを器具本体１に対して押し上げると、図４に示すように器具本体１側の支持具５の可動部６とセード側の受け具３２が嵌合して係止した状態になる。セードを器具本体１に取付具３により取付けた状態からランプ交換の際に、解除ボタン３７を押して取付具３への係止から解除すると、例えば図５に示すように可動部６が受け具３２に係止した状態でセードが開き、図６に示すように手を離しても落下しないように支持具５の可動部６が受け具３２とともに下がり、ワイヤ３３で吊られた状態に保持される。図６および図７は、セードを取付具３から外して保持具４に引掛具３１が引っ掛かった状態で自重により回動させ、また可動部６が受け具３２に係止し、かつセードの自重によりワイヤ３３を引出した状態である。この状態でセードはぐらぐらすることがなく、ランプ交換等の作業が容易にかつ安全に行なえる。またセードを完全に外さなくてもランプ交換をすることが可能である。また例えば受け具３２が可動部６から外れてセードが落下しても引掛具３１が器具本体１の保持具４に引っ掛かっているので、仮にセードが不完全嵌合（片掛り状態）でもセードの落下を防ぐことができる。
【００２３】
この状態からセードを保持具４を支点に回動して器具本体１に接近すると、ワイヤ３３は支持具５に内蔵されたドラムを付勢しているばねによりドラムに自動的に巻き取られるとともに、セード（２）がガイド具１５に案内されて周壁７の内側に開口縁部が嵌合し、このとき係止片３６で取付具３を内方に押して係止片３６を係止孔３ａに係止させ、これによりセードが器具本体１に取付けられ、図２の状態となる。またセードを外すときは、前記したように解除ボタン３７を押して係止片３６から取付具３を外すことにより行なえ、セードの自重によりワイヤ３３が繰り出されて図６および図７のようにセードが開くこととなる。
【００２４】
この実施の形態によれば、配光制御部材２を開いた状態を保持具４とワイヤ３３で保持するため器具本体１の１個所に重量が加わることがなく補強の必要が少なくなり、また配光制御部材２が揺れることがないので安定性があり、配光制御部材２を完全に外さなくてもランプ交換等ができてしかも作業性がよい。また配光制御部材２が器具本体１の取付具３にたとえ不完全に取付けられても、配光制御部材２が保持具４で引っ掛かるので配光制御部材２が落下することがなく安全である。
【００２５】
また保持具４および引掛具３１を器具本体１および配光制御部材２の内側に設けているため、外観が良好である。図７に示すように、取付具３から配光制御部材２が外れた状態では、配光制御部材２を器具本体１からやや下がった位置で保持具４に保持させているので、配光制御部材２を外した状態で外面が天井４５に当たることを防止でき、また天井４５との距離を確保しやすいので外に張出したようなセード形状にすることができ、デザイン上の制約を緩和することができる。
【００２６】
この発明の第２の実施の形態を図８に示す。すなわち、この照明器具は、第１の実施の形態において、平面四角形の器具本体１の一対の取付具３はその一対向側片に設けられ、保持具４および支持具５は一対角部に設けられている。
支持具５と保持具４の配置を器具本体１の対角線上にすることにより、図８に示すように、セード仮吊り状態のセード（２）の開口面積が最も広くとれる。そして、開口面積を広くすることにより仮吊り状態でのランプ交換性を向上することができる。
【００２７】
その他は第１の実施の形態と同様である。
この発明の第３の実施の形態を図９および図１０に示す。すなわち、この照明器具は、受け具３２が器具本体１の保持具４に対向するように配光制御部材２が逆向きに取付けられた場合に保持具４に引掛可能な引っ掛かり片４６を例えば受け具３２に有する。実施の形態の引っ掛かり片４６は、挿通部４０の入口の縁部に折返しにより形成している。
【００２８】
ユーザは誤ってセードの取付方向を反対に行なうことがある。このとき図１０（ｂ）に示すように受け具３２と支持具５が嵌合せず、また保持具４と引掛具３１が係合しないため、万一の場合セードの不完全嵌合時にセードの仮保持ができず、落下するおそれがある。このため受け具３２に引っ掛かり片４６を形成し、セード（２）を逆に取付けた場合でも保持具４に引っ掛かるようにしている。
【００２９】
図１０（ａ）はセード（２）を正規に取付けた状態であり、同図（ｂ）はセード（２）を誤って反対方向に取付けた場合である。同図（ｂ）のように、受け具３２の先端の引っ掛かり片４６が保持具４に引っ掛かるのでセード（２）の落下に対する安全性が高くなる。
その他は第１の実施の形態と同様である。
【００３０】
この発明の第４の実施の形態を図１１から図１３に示す。すなわち、この照明器具は、第１の実施の形態において、支持具５の可動部６は係止用の頭部６ａを先端に有し、受け具３２は頭部６ａを挿入しやすくする第１のガイド傾斜部５５を有する挿通部４０と、頭部６ａが挿通部４０を挿通した状態で頭部６ａを係止位置へ案内する第２のガイド傾斜部５６を有する係止部４１とで構成し、受け具３２は可動部６を誘い込みやすくするように傾斜しているものである。
【００３１】
実施の形態では、頭部６ａの円錐の軸に直角な水平面５７に対する傾斜角ａと、第１のガイド傾斜部５５の水平面５７に対する傾斜角ｂが、ｂ＞ａとなっている。図１２に示すように、同図（ａ）のように可動部６の頭部６ａが受け具３２に入ると、同図（ｂ）のように可動部６が斜めに倒れて挿通部４０内を摺動するので、摩擦が小さくなって嵌合しやすい。同図（ｃ）のように頭部６ａが抜けると斜めに倒れた姿勢が垂直姿勢に戻りながら頭部６ａの首側が係止部４１に係止し、第２のガイド傾斜部５６により係止方向に摺動し、このときセードの自重が可動部６に加わると頭部６ａが係止部４１にさらに係止する方向に摺動するのでさらに確実に係止することとなる。すなわち、第２のガイド傾斜部５６により、受け具３２の先端が器具本体１側に接近するように傾斜した形状にすることにより、支持具５の可動部６と受け具３２が嵌合してセードを開く際に図１３のように矢印方向の力が生じるためセードの仮保持状態において可動部６と受け具３２が外れにくい。
【００３２】
この実施の形態によれば、可動部６の頭部６ａの傾斜角度を受け具３２の傾斜角度よりも小さくする第１のガイド傾斜部５５により、可動部６がスムースに受け具に嵌合できるとともに、受け具３２自体を配光制御部材２に対して傾斜する第２のガイド傾斜部５６により、配光制御部材２の仮保持状態で可動部６の頭部６ａが係止部４１から外れにくく、配光制御部材２の落下を防ぐことができる。
【００３３】
その他は第１の実施の形態と同様である。
図１４は変形形態であり、第４の実施の形態が直接受け具３２に傾斜させたのに対して、受け具３２を傾斜させて取付けるような三角形状の取付台４７を配光制御部材２と受け具３２との間に介在して、受け具３２に第２のガイド傾斜部５６を形成している。
【００３４】
【発明の効果】
請求項１記載の照明器具によれば、配光制御部材を開いた状態を保持具と索条で保持するため器具本体の１個所に重量が加わることがなく補強の必要が少なくなり、また配光制御部材が揺れることがないので安定性があり、配光制御部材を完全に外さなくてもランプ交換等ができてしかも作業性がよい。また配光制御部材が器具本体の取付具にたとえ不完全に取付けられても、配光制御部材が保持具で引っ掛かるので配光制御部材が落下することがなく安全である。
【００３５】
また保持具および引掛具を器具本体および配光制御部材の内側に設けることは可能なため、必要に応じて外観を良好にすることが可能であり、配光制御部材を器具本体からやや下がった位置で保持させることも可能であるので、セードを外した状態で外面が天井に当たることを防止でき、また天井との距離を確保しやすいので必要に応じて外に張出したようなセード形状等を採用することが可能である。
さらに第１のガイド傾斜部により可動部が受け具にスムースに嵌合できるとともに、第２のガイド傾斜部により配光制御部材の仮保持状態で頭部が係止部から外れにくく、配光制御部材の落下を防ぐことができる。
【００３６】
請求項２記載の照明器具によれば、請求項１と同様な効果がある。
請求項３記載の照明器具によれば、請求項１と同様な効果のほか、支持具と保持具を器具本体の対角部に配置することにより、配光制御部材の仮吊り状態における開口面積を最も広くでき、ランプ交換性を向上させることができる。
請求項４記載の照明器具によれば、請求項１と同様な効果のほか、たとえば配光制御部材の形状が正方形であるような場合には誤って取付方向を逆にすることがあるが、その場合でも落下防止できるので安全である。
【図面の簡単な説明】
【図１】この発明の第１の実施の形態の分解斜視図である。
【図２】組立状態の断面図である。
【図３】支持具の斜視図である。
【図４】可動部が受け具に係合した状態の斜視図である。
【図５】セードを若干引き下げてワイヤを繰り出した状態の斜視図である。
【図６】セードを開いた仮吊り状態の斜視図である。
【図７】その断面図である。
【図８】第２の実施の形態のセードを開いた状態の斜視図である。
【図９】第３の実施の形態のセードを逆向きに取付けた際の落下防止を説明する部分斜視図である。
【図１０】（ａ）はセードを正規に取付けた状態の断面図、（ｂ）はセードを逆に取付けた状態の断面図である。
【図１１】第４の実施の形態の支持具と受け具の関係を説明する説明図である。
【図１２】支持具の可動部と受け具の係合動作を説明する説明図である。
【図１３】可動部が受け具に係止した状態の説明図である。
【図１４】受け具の変形形態の側面図である。
【図１５】第１の従来例のセードを開いた状態の斜視図である。
【図１６】その係止具と受け部との係合を示す説明図である。
【図１７】セードの縁部が天井に当たる状態を説明する説明図である。
【図１８】第２の従来例のセードを開いた状態の斜視図である。
【符号の説明】
１    器具本体
２    セード、配光制御部材
３    取付具
４    保持具
５    支持具
６    可動部
６ａ    頭部
３０    被取付具
３１    引掛具
３２    受け具
３３    ワイヤ
４０    挿通部
４１    係止部
４６    引っ掛かり片
５５    第１のガイド傾斜部
５６    第２のガイド傾斜部
【図１】
0004149562.tif 000002
【図２】
0004149562.tif 000003
【図３】
0004149562.tif 000004
【図４】
0004149562.tif 000005
【図５】
0004149562.tif 000006
【図６】
0004149562.tif 000007
【図７】
0004149562.tif 000008
【図８】
0004149562.tif 000009
【図９】
0004149562.tif 000010
【図１０】
0004149562.tif 000011
【図１１】
0004149562.tif 000012
【図１２】
0004149562.tif 000013
【図１３】
0004149562.tif 000014
【図１４】
0004149562.tif 000015
【図１５】
0004149562.tif 000016
【図１６】
0004149562.tif 000017
【図１７】
0004149562.tif 000018
【図１８】
0004149562.tif 000019